(57)【要約】【課題】選別棚の篩選別処理を効果的に行わせ、選別性能の向上を図る。【解決手段】扱室（３）からの脱穀処理物を受け入れて揺動選別する揺動選別棚（１０）の前部下方に唐箕（１８）を設け、揺動選別棚（１０）の後部上方には吸塵ファン（２１）を設け、扱室（３）後端に形成した排藁排出口（６）部から第１篩選別棚（７）を後方へ延出し、揺動選別棚（１０）の上部であって、第１篩選別棚（７）よりも下方の部位に第２篩選別棚（１３）を設けると共に、揺動選別棚（１０）の後方部位には第３篩選別棚（１４）を設け、第１篩選別棚（７）の後部と第２篩選別棚（１３）の前部とを上下にオーバーラップさせて配置し、第２篩選別棚（１３）の後部と第３篩選別棚（１４）の前部とを上下にオーバラップさせて配置する。【選択図】      図１
2012231714.tif 000002
【特許請求の範囲】
【請求項１】
扱室（３）からの脱穀処理物を受け入れて揺動選別する揺動選別棚（１０）の前部下方に唐箕（１８）を設け、揺動選別棚（１０）の後部上方には吸塵ファン（２１）を設け、扱室（３）後端に形成した排藁排出口（６）部から第１篩選別棚（７）を後方へ延出し、前記揺動選別棚（１０）の上部であって、第１篩選別棚（７）よりも下方の部位に第２篩選別棚（１３）を設けると共に、揺動選別棚（１０）の後方部位には第３篩選別棚（１４）を設け、第１篩選別棚（７）の後部と第２篩選別棚（１３）の前部とを上下にオーバーラップさせて配置し、第２篩選別棚（１３）の後部と第３篩選別棚（１４）の前部とを上下にオーバラップさせて配置したことを特徴とする脱穀装置。
【請求項２】
前記第１篩選別棚（７）の後上り傾斜角度よりも前記第２篩選別棚（１３）の後上り傾斜角度を大きく設定し、該第２篩選別棚（１３）の後上り傾斜角度よりも前記第３篩選別棚（１４）の後上り傾斜角度を大きく設定したことを特徴とする請求項１記載の脱穀装置。
【請求項３】
前記第１篩選別棚（７）の終端部を、吸塵ファン（２１）の吸引口前端部に近接させるか、又は吸塵ファン（２１）の吸引口前端部よりも後方まで延出させたことを特徴とする請求項１又は請求項２記載の脱穀装置。
【請求項４】
前記第１篩選別棚（７）は、該第１篩選別棚（７）の前部に備えた左右方向の支持軸（２４）を支点として後部側が上下に回動する構成とし、該第１篩選別棚（７）を上下に揺動させる駆動手段（２６）を設けたことを特徴とする請求項１又は請求項２又は請求項３記載の脱穀装置。
【請求項５】
前記第１篩選別棚（７）は、上下に揺動する可動篩部材（７ａ）と固定篩部材（７ｂ）とを左右方向に交互に配置して構成したことを特徴とする請求項４記載の脱穀装置。
【発明の詳細な説明】
【技術分野】
【０００１】
この発明は、脱穀装置に関する。
【背景技術】
【０００２】
従来、例えば、特許文献１にも開示されているように、扱室の後側板より後方で扱胴受網の延長線上後方位置には、藁屑などの排塵処理物を受け入れて篩い分け処理する篩分装置が設けられている。
【先行技術文献】
【特許文献】
【０００３】
【特許文献１】特開２００４−１６２００号公報
【発明の概要】
【発明が解決しようとする課題】
【０００４】
湿潤度の高い作物を脱穀するほど、藁屑も多量に発生し、篩選別処理に負担がかかり、従来の篩分装置によるだけでは充分な処理が期待できないものであった。
本発明による課題は、扱室後方に設けられる篩選別棚と、揺動選別棚の上部に設けられる篩選別棚と、揺動選別棚の後方部位に設けられる篩選別棚との組み合わせによって篩分選別処理を効果的に行わせ、選別性能の向上を図ることを目的とする。
【課題を解決するための手段】
【０００５】
この発明は、上記課題を解決すべく次のような技術的手段を講じた。
すなわち、請求項１記載の発明は、扱室（３）からの脱穀処理物を受け入れて揺動選別する揺動選別棚（１０）の前部下方に唐箕（１８）を設け、揺動選別棚（１０）の後部上方には吸塵ファン（２１）を設け、扱室（３）後端に形成した排藁排出口（６）部から第１篩選別棚（７）を後方へ延出し、前記揺動選別棚（１０）の上部であって、第１篩選別棚（７）よりも下方の部位に第２篩選別棚（１３）を設けると共に、揺動選別棚（１０）の後方部位には第３篩選別棚（１４）を設け、第１篩選別棚（７）の後部と第２篩選別棚（１３）の前部とを上下にオーバーラップさせて配置し、第２篩選別棚（１３）の後部と第３篩選別棚（１４）の前部とを上下にオーバラップさせて配置したことを特徴とする脱穀装置とした。
【０００６】
請求項２記載の発明は、前記第１篩選別棚（７）の後上り傾斜角度よりも前記第２篩選別棚（１３）の後上り傾斜角度を大きく設定し、該第２篩選別棚（１３）の後上り傾斜角度よりも前記第３篩選別棚（１４）の後上り傾斜角度を大きく設定したことを特徴とする請求項１記載の脱穀装置とした。
【０００７】
請求項３記載の発明は、前記第１篩選別棚（７）の終端部を、吸塵ファン（２１）の吸引口前端部に近接させるか、又は吸塵ファン（２１）の吸引口前端部よりも後方まで延出させたことを特徴とする請求項１又は請求項２記載の脱穀装置とした。
【０００８】
請求項４記載の発明は、前記第１篩選別棚（７）は、該第１篩選別棚（７）の前部に備えた左右方向の支持軸（２４）を支点として後部側が上下に回動する構成とし、該第１篩選別棚（７）を上下に揺動させる駆動手段（２６）を設けたことを特徴とする請求項１又は請求項２又は請求項３記載の脱穀装置とした。
【０００９】
請求項５記載の発明は、前記第１篩選別棚（７）は、上下に揺動する可動篩部材（７ａ）と固定篩部材（７ｂ）とを左右方向に交互に配置して構成したことを特徴とする請求項４記載の脱穀装置とした。
【発明の効果】
【００１０】
請求項１記載の発明によれば、第１篩選別棚（７）上で処理される被選別物は、穀粒に加えて粗大な藁屑を多量に含むものであるが、第１篩選別棚（７）上の藁屑のうち、この第１篩選別棚（７）の終端部よりも手前で下方に落下しない粗大な藁屑は、この第１篩選別棚（７）の終端部から、第２篩選別棚（１３）、第３篩選別棚（１４）へと順次引継がれ、揺動選別棚（１０）の後方部位に落下するため、揺動選別棚（１０）における第１篩選別棚（７）よりも前側の部位から後方へ移送される穀粒を多く含む被処理物に藁屑が混入し難く、選別精度を向上させることができる。
【００１１】
請求項２記載の発明によれば、上記請求項１記載の発明による効果を奏するものでありながら、第１篩選別棚（７）から第２篩選別棚（１３）、第３篩選別棚（１４）への後傾角度が次第に大きくなるよう設定してあるので、藁屑に選別風が当たる時間を長くでき、選別精度をさらに向上させることができる。
【００１２】
請求項３記載の発明によれば、請求項１又は請求項２記載の発明による効果を奏するものでありながら、第１篩選別棚（７）の終端部が吸塵ファン（２１）に向けて延出されているので、第１篩選別棚（７）より上方に浮遊する細かな塵埃等は、吸塵ファン（２１）によって速やかに吸塵され、吸塵選別性能の向上を図ることができる。
【００１３】
請求項４記載の発明によれば、上記請求項１又は請求項２又は請求項３記載の発明による効果を奏するものでありながら、第一篩選別棚（７）が上下に揺動することで、この第一篩選別棚（７）上の被処理物に含まれる小さな藁屑を浮遊させ、選別風による選別効果を高めることができる。
【００１４】
請求項５の発明によれば、上記請求項４記載の発明による効果を奏するものでありながら、第１篩選別棚（７）は、上下に揺動する可動篩部材（７ａ）と固定篩部材（７ｂ）とを左右交互に設けてあるので、塊状になった被処理物を解きほぐすことができ、選別効率を向上させることができる。
【図面の簡単な説明】
【００１５】
【図１】脱穀機の要部の側断面図
【図２】同上要部の縦断背面図
【図３】第１篩選別棚の平面図
【図４】脱穀機の要部の側断面図
【図５】同上要部の縦断背面図
【図６】同上別実施例の縦断背面図
【図７】脱穀機の別実施例要部の側断面図
【図８】同上要部の縦断背面図
【図９】脱穀機の別実施例要部の側断面図
【図１０】同上要部の縦断背面図
【図１１】同上別実施例の縦断背面図
【図１２】脱穀機の別実施例要部の側断面図
【図１３】同上要部の縦断背面図
【発明を実施するための形態】
【００１６】
この発明の実施例を図面に基づき説明する。
図１は、脱穀機の側断面図を示すものであり、次のような構成になっている。
すなわち、脱穀機１は、脱穀フィードチエン２により株元を挟持しながら搬送される穀稈の穂先部を扱室３内で駆動回転する扱胴４により脱穀処理するよう構成している。扱室３の下半周部に受網５が張設され、扱室３の終端には排藁排出口６が開口されている。前記受網５の終端側端部には排塵口８が設けられている。
【００１７】
扱室３の後方には排藁排出口６からの処理物を受け入れて篩い選別する第１篩選別棚としてストローフィン７が設けられている。
扱室３の下方には、脱穀処理後の処理物を受け入れて揺動移送しながら篩い選別する揺動選別棚１０が前後方向揺動可能に架設されている。この揺動選別棚１０は、選別方向上手側から移送棚１１、チャフシ−ブ１２、チャフシーブ１２の上方に配置されて前記第１篩選別棚７からの処理物を受け入れて処理する第２篩選別棚（ジャンプラック）１３、前記チャフシーブ１２の終端に続く第３篩い選別棚としてストロ−ラック１４の順に配置し、且つ、前記チャフシ−ブ１２の下方にグレンシ−ブ１５、１番戻し棚１６、２番戻し棚１７を配置して設けた構成としている。
【００１８】
また、揺動選別棚１０の下方には選別方向の上手側から順に、唐箕１８と、１番移送螺旋１９、２番移送螺旋２０と、その上方に吸塵フアン２１を設けて排塵選別室を構成している。
【００１９】
ストローフィン（第１篩選別棚）７とジャンプラック（第２篩選別棚）１３、ジャンプラック（第２篩選別棚）１３とストローラック（第３篩選別棚）１４とは夫々前後にオーバラップさせて設けた構成としている。また、ストローフィン７の後上がり傾斜角θ１と、ジャンプラック１３の傾斜角θ２と、ストローラック１４の傾斜角θ３とは、前側から順次後上りの後傾角度が大（θ１＜θ２＜θ３）となるよう設定している。
【００２０】
前記ストローフィン７、ジャンプラック１３、ストローラック１４は、左右方向に複数配置した複数の篩部材７ａ…，１３ａ…，１４ａ…からなり、各篩部材を平面視で直線状に並置してあり、しかも、図１例では作用上面をラック状に形成している。なお、篩い部材７ａは薄い板バネで構成し、機体の振動により左右方向にも揺れるようにしておくと分離効果を更に高めることができる。
【００２１】
第１篩選別棚７は、この終端側部を前記吸塵ファン２１の前端部近く若しくはこれより後方まで延出することによって、上方に浮遊する塵稈などを吸塵し易くしている。第１篩選別棚７の終端部はチャフシーブ１２終端の上方に位置させている。
【００２２】
また、第１篩選別棚７は、前方部位の左右方向の支持軸２４を支点として後方部位が上下に揺動変位すべく構成し、適宜の駆動手段によって第１篩選別棚７を強制的に揺動駆動させるべく連動構成している。つまり、揺動アーム２５の往復揺動、ロッド（駆動手段）２６の往復動によってストローフィン７が支持軸２４回りに上下動するようになっている。なお、この揺動駆動源については、近くの吸塵ファン２１や、１番移送ラセン１９、２番移送螺旋２０等任意の個所から動力伝達を得ることができる。
【００２３】
なお、上記支持軸２４は機体の左側より取外すことができるようになっている。また、支持軸２４の上方には、扱室側より後方下方に向けて傾斜する藁屑引っ掛り防止用シャフトカバー３１が設けられている。シャフトカバー３１はフィン７ａの揺動上限位置を規制するストッパの役目を果たしている。
【００２４】
更に、第１篩選別棚７は、図３に示すように、上下に揺動する可動篩部材７ａと機枠に固定した支持部材２７に固定の固定篩部材７ｂとを左右交互に設けることによって、藁屑の拡散分離効果をより高めることができる。なお、固定篩部材７ｂは可動篩部材７ａの上下動範囲内中間位置に設定しておくことが望ましい。
【００２５】
次に、図４及び図５に示す実施例について説明すると、第１篩選別棚７の篩い部材（フィン）７ａを回動可能な支持軸２４に固定し、支持軸２４と機枠２８との間にはトルクスプリング２９を設け、フィン７ａが機体振動にて上下動するように構成している、そして、フィン７ａは丸棒で構成すると共に、終端部先端を上向きに折り曲げた構成としている。尚、丸棒フィンの構成として、図６例のように、直線フィンａ１と曲げフィンａ２を交互に設けるようにしても良い。また、フィン７ａは、弾性材で構成し、機体振動によって左右にも上下にも揺れるように構成しておくと分離効果が更に高まる。
【００２６】
また、図４例では、フィン７ａの上下動範囲外において該フィンの上下動幅を規制する規制部材３０が設けられている。
図７、図８例は、第１篩選別棚７を網体７Ｎで構成し、支持軸２４を支点として上下動する構成としている。
【００２７】
図９、図１０例では、第１篩選別棚７のフィン７ａを板バネで構成し、扱室後側板９に上下垂直状に取り付けて機体の振動で左右に揺れるように構成している。また、図１１例では、フィン７ａを板バネで構成すると共に、これを左右横向きに取り付けて上下方向の揺れが生じるように構成している。
【００２８】
また、図１２、図１３例は、第１篩選別棚７のフィン７ａが圧縮スプリング３３を介して前後方向に揺動可能に構成され、機体の振動によって前後に揺動する構成としている。また、この篩選別棚７は揺動選別棚１０の振動を相殺するように振動する構成としている。なお、フィン７ａの揺動方向は前傾の斜め上方とすることで、藁屑の拡散を促進することができる。前記圧縮スプリン３３の上方には藁屑の引っ掛りを防止するスプリングカバー３４が設けられている。
【符号の説明】
【００２９】
３    扱室
６    排藁排出口
７    第１篩選別棚
７ａ  可動篩部材フィン
７ｂ  固定篩部材
１０    揺動選別棚  
１３    第２篩選別棚
１４    第３篩選別棚
１８    唐箕
２１    吸塵ファン  
２４    支持軸
２６    駆動手段（ロッド）
【図１】
2012231714.tif 000003
【図２】
2012231714.tif 000004
【図３】
2012231714.tif 000005
【図４】
2012231714.tif 000006
【図５】
2012231714.tif 000007
【図６】
2012231714.tif 000008
【図７】
2012231714.tif 000009
【図８】
2012231714.tif 000010
【図９】
2012231714.tif 000011
【図１０】
2012231714.tif 000012
【図１１】
2012231714.tif 000013
【図１２】
2012231714.tif 000014
【図１３】
2012231714.tif 000015